(57)【要約】【課題】光エネルギーを電気エネルギーに変換する太陽電池パネル３０と、太陽電池パネル３０より出力される電気エネルギーを蓄える蓄電池と、蓄電池に蓄えられた電気エネルギーを受けて点灯される照明灯４０とを路面上に直立された支柱８０上に固定して成る街路灯装置において、支柱８０上部に設置される街路灯装置の支柱８０に対する水平方向の重量バランスの偏りを抑制することにより、支柱８０上部に街路灯装置を設置しても長期間に渡って支柱８０が曲がったり、傾いたりするのを抑制する。【解決手段】太陽電池パネル３０を太陽光を受光する姿勢に支持すると共に、照明灯４０を支柱８０下の路面を照射する位置に支持するメインブラケット２０を設け、メインブラケット２０及び蓄電池ユニット１０は、支柱８０の胴部に、胴部を挟んで互いに反対側となるように固定される。【選択図】図１
2014022049.tif 000002
【特許請求の範囲】
【請求項１】
光エネルギーを電気エネルギーに変換する太陽電池パネルと、
該太陽電池パネルより出力される電気エネルギーを蓄える蓄電池と、
該蓄電池に蓄えられた電気エネルギーを受けて点灯される照明灯と、
を路面上に直立された支柱上に固定して成る街路灯装置であって、
前記太陽電池パネルを太陽光を受光する姿勢に支持すると共に、前記照明灯を前記支柱下の路面を照射する位置に支持する架台を設け、
該架台及び前記蓄電池は、前記支柱の胴部に、該胴部を挟んで互いに反対側となるように固定されることを特徴とする街路灯装置。
【請求項２】
請求項１において、
前記架台は全体として三角形状のブラケットであり、該ブラケットの三角形状の垂直側の一辺が前記支柱の胴部に沿うように固定され、このように固定された前記三角形状の上空側の一辺に前記太陽電池パネルを固定し、上記固定された三角形状の地上側の一辺に前記照明灯を固定したことを特徴とする街路灯装置。
【請求項３】
請求項２において、
前記ブラケットは前記各辺に囲まれた内部に空間を有することを特徴とする街路灯装置。
【発明の詳細な説明】
【技術分野】
【０００１】
本発明は、路面上に直立された電柱、ポール等の支柱の上部に太陽電池パネル、蓄電池及び照明灯を固定して、太陽光エネルギーを太陽電池パネルによって電気エネルギーに変換し、その電気エネルギーを蓄電池に蓄えて、その電気エネルギーによって照明灯を夜間点灯させて、街路灯として路面を照射する街路灯装置に関する。
【背景技術】
【０００２】
路面上に直立された支柱の垂直方向における重量バランスの観点からは、重量の大きい蓄電池は支柱の上部ではなく、地上に置くことが望ましい。しかし、蓄電池を地上に置いた場合には、別の問題が生じる。即ち、蓄電池が近くを通る車両に衝突されて損傷を受けたり、蓄電池が盗難にあうこともある。そのため、蓄電池も支柱の上部に設置されることが多い。係る街路灯装置は下記特許文献に開示されている。
【先行技術文献】
【特許文献】
【０００３】
【特許文献１】特開２０１１−９５４６３号公報
【発明の概要】
【発明が解決しようとする課題】
【０００４】
しかし、重量の大きい蓄電池を路面上に直立された支柱に設置すると、支柱自体の強度や支柱の設置強度によっては長期の間に支柱が曲がったり、傾いたりすることがある。
このような問題に鑑み本発明の課題は、支柱上部に設置される街路灯装置の支柱に対する水平方向の重量バランスの偏りを抑制することにより、支柱上部に街路灯装置を設置しても長期間に渡って支柱が曲がったり、傾いたりするのを抑制することにある。
【課題を解決するための手段】
【０００５】
本発明の第１発明は、光エネルギーを電気エネルギーに変換する太陽電池パネルと、該太陽電池パネルより出力される電気エネルギーを蓄える蓄電池と、該蓄電池に蓄えられた電気エネルギーを受けて点灯される照明灯とを路面上に直立された支柱上に固定して成る街路灯装置であって、前記太陽電池パネルを太陽光を受光する姿勢に支持すると共に、前記照明灯を前記支柱下の路面を照射する位置に支持する架台を設け、該架台及び前記蓄電池は、前記支柱の胴部に、該胴部を挟んで互いに反対側となるように固定されることを特徴とする。
第１発明によれば、重量の大きい蓄電池に対して、支柱の胴部を挟んで反対側に、太陽電池パネルと照明灯とを支持した架台が固定されているため、支柱の胴部の片側に蓄電池が固定されたことによって生じる支柱に対する水平方向の重量のアンバランスを、支柱の胴部を挟んで反対側に固定された架台によって抑制することができる。そのため、支柱上部に蓄電池を含む街路灯装置を設置した場合でも、街路灯装置の支柱に対する水平方向の重量バランスの偏りを抑制することができ、長期間を経ても支柱が曲がったり、傾いたりするのを抑制することができる。
【０００６】
本発明の第２発明は、上記第１発明において、前記架台は全体として三角形状のブラケットであり、該ブラケットの三角形状の垂直側の一辺が前記支柱の胴部に沿うように固定され、このように固定された前記三角形状の上空側の一辺に前記太陽電池パネルを固定し、上記固定された三角形状の地上側の一辺に前記照明灯を固定したことを特徴とする。
第２発明によれば、架台を全体として三角形状のブラケットとし、このブラケットの三角形状の各辺に太陽電池パネルと照明灯とをそれぞれ支持したため、一つのブラケットにより効果的に太陽電池パネルと照明灯とを支持することができる。
【０００７】
本発明の第３発明は、上記第２発明において、前記ブラケットは前記各辺に囲まれた内部に空間を有することを特徴とする。
第３発明によれば、ブラケットは各辺に囲まれた内部に空間を有するので、ブラケットが支柱上で風を受けても、その風を空間で逃がすことができ、ブラケットが受ける風圧を抑制することができる。そのため、支柱に対するブラケットの固定強度を抑制することができ、支柱上に固定される街路灯装置の重量を抑制することができる。
【図面の簡単な説明】
【０００８】
【図１】本発明の第１実施形態である街路灯装置の側面図である。
【図２】上記実施形態の支柱から外された状態の斜視図である。
【図３】上記実施形態の蓄電池ユニットにおける収納ケースの正面図である。
【図４】上記実施形態の蓄電池ユニットの側面図である。
【図５】上記実施形態のメインブラケットの裏面図である。
【図６】上記実施形態のメインブラケットの側面図である。
【図７】上記実施形態の照明灯取付ブラケットの側面図である。
【図８】上記実施形態の照明灯取付ブラケットの正面図である。
【図９】本発明の第２実施形態である街路灯装置の側面図である。
【発明を実施するための形態】
【０００９】
＜第１実施形態＞
図１〜図８は本発明の第１実施形態である街路灯装置を示す。この第１実施形態は、収納ケース１４内に蓄電池１１、１２を収納した蓄電池ユニット１０と、太陽電池パネル３０及び照明灯４０を固定し支持したメインブラケット（本発明における架台及びブラケットに相当）２０とを、二つの取付バンド６１、７１によって、電柱、電線引込みポール、専用の街路灯用ポール等の支柱８０の上部に固定して成る。図１では支柱８０の上端部と下端部の記載を省略しているが、第１実施形態である街路灯装置は、支柱８０の上部で照明灯４０が路面を照射するのに適当な高さに固定されている。ここで蓄電池ユニット１０とメインブラケット２０とは支柱８０の胴部を挟んで互いに反対側に位置するように固定されている。
【００１０】
メインブラケット２０は、図１、図２、図５及び図６に示されるように、全体として三角形状に形成された鉄板であり、三角形状の垂直側の一辺２０Ａは支柱８０の胴部に沿って垂直に配置され、三角形状の上空側の一辺２０Ｂには太陽電池パネル３０が固定され、三角形状の地上側の一辺２０Ｃには照明灯４０が固定される。一辺２０Ａにはメインブラケット２０を成す鉄板の端部が折り曲げられて固定部２１が形成され、一辺２０Ｂにも同様に鉄板の端部が折り曲げられて固定部２２が形成されている。
各固定部２１、２２には各両端側に取付孔２１Ａ、２２Ａがそれぞれ形成され、固定部２１の上下の取付孔２１Ａ、２１Ａによって固定部２１の上下には、図２に示される取付具６２、７２が取り付けられ、この取付具６２、７２を介して取付バンド６１、７１が取り付けられている。従って、メインブラケット２０は取付バンド６１、７１によって支柱８０に固定することができる。
また、固定部２２の上下の取付孔２２Ａ、２２Ａによって固定部２２の上下には、図２に示される取付部３１、３２を介して太陽電池パネル３０が取り付けられている。更に、一辺２０Ｃには、図２に示されるように照明灯取付ブラケット４１を介して照明灯４０が取り付けられている。
【００１１】
図７及び図８は、照明灯取付ブラケット４１を示し、照明灯取付ブラケット４１は一枚の鉄板から成り、その３箇所が折り曲げられて固定部４１Ａ、４１Ｂが形成されている。一対の固定部４１Ａは互いに対向配置されるように形成され、固定部４１Ｂはメインブラケット２０の一辺２０Ａと一辺２０Ｃとが成す角度と同角度に固定部４１Ａとは反対側に折り曲げられて形成されている。
照明灯取付ブラケット４１は、一対の固定部４１Ａによって照明灯４０に固定され、固定部４１Ｂを介して上記取付具７２（図２参照）によってメインブラケット２０の固定部２２に固定されている。従って、照明灯４０は、照明灯取付ブラケット４１を介してメインブラケット２０の固定部２２に固定され、メインブラケット２０の一辺２０Ｃの下側に取り付けられることになる。この場合、照明灯４０は複数の発光ダイオード（ＬＥＤ）を発光器としており、メインブラケット２０とは反対側の面が発光面とされ、メインブラケット２０に面する側がＬＥＤの放熱面とされている。
【００１２】
図３及び図４は、蓄電池ユニット１０及び収納ケース１４を示しており、蓄電池ユニット１０は収納ケース１４内に二つの蓄電池１１、１２と充放電コントローラ１３とを収納して構成されている。収納ケース１４はケース本体１４Ａと蓋体１４Ｂとから成り、ケース本体１４Ａには二つの蓄電池１１、１２を上下に重ねて収納できるように棚板１５、１６がケース本体１４Ａの内壁に溶接固定されている。ここでケース本体１４Ａは四角形の鉄板製の棚板１５、１６の三辺を被うように屈曲された鉄板から成り、蓋体１４Ｂは、ケース本体１４Ａの開放側部に被せられて蓄電池１１、１２等を収納するための密閉空間を形成している。
蓋体１４Ｂは、その両側部がフランジ状に折り曲げられると共に、そのフランジ部に片側４個のねじ孔１４Ｂ１が形成されている。各ねじ孔１４Ｂ１には図示しない蝶ねじが締め込まれ、ケース本体１４Ａに対して蓋体１４Ｂが固定されている。なお、各ねじ孔１４Ｂ１に対応してケース本体１４Ａにもねじ孔（不図示）が形成されている。ここで蝶ねじを使った理由は、蓄電池１１、１２が耐用年数を過ぎて交換する際、工具なしで蓋体１４Ｂを開けることができるようにするためである。
充放電コントローラ１３は蓄電池１１の上に載置され、その配線１３Ａがコネクタ５３を介して配線５１に接続され、配線５１はケース本体１４Ａの貫通孔１４Ａ３を通して収納ケース１４外に導かれている。配線５１中の照明灯回路（不図示）は照明灯４０に接続され、配線５１中の太陽電池出力回路（不図示）は太陽電池パネル３０の出力端に接続されている。また、充放電コントローラ１３の充放電回路（不図示）は蓄電池１１、１２に電気接続されている。
収納ケース１４はケース本体１４Ａの取付孔１４Ａ１、１４Ａ２によって、図２に示すように取付バンド６１、７１に結合されている取付具６３、７３に取り付けられている。従って、蓄電池ユニット１０は、取付バンド６１、７１によってメインブラケット２０と共に支柱８０に固定されている。このとき、蓄電池ユニット１０はメインブラケット２０に対して支柱８０の胴部を挟んで反対側に位置するように固定されている。
図２において、６４、７４は、取付バンド６１、７１の端部と取付具６２、７２との間を結合するボルトであり、これらのボルト６４、７４の取付具６２、７２に対する締付量を調整することにより取付バンド６１、７１の支柱８０に対する締付強さを調整可能としている。
【００１３】
第１実施形態は以上のように構成されているため、上下の取付バンド６１、７１を支柱８０の上部に巻き付けて固定し、太陽電池パネル３０を太陽光の光エネルギーを効率的に電気エネルギーに変換できる向きに配置することにより、太陽電池パネル３０は、太陽光を受けて電気エネルギーを発生させ、充放電コントローラ１３を介して蓄電池１１、１２を充電することができる。充放電コントローラ１３は、太陽電池パネル３０の出力がなくなること、或いは内蔵する時計により夜間になったことを検出すると、蓄電池１１、１２を放電させて照明灯４０を点灯させる。照明灯４０の消灯は、上記時計によって計時される予め決められた時間によって制御しても良いし、夜が明けて周りが明るくなったことを太陽電池パネル３０の出力によって検出して制御しても良い。
【００１４】
以上の第１実施形態によれば、重量の大きい蓄電池１１、１２を含む蓄電池ユニット１０に対して、支柱８０の胴部を挟んで反対側に、太陽電池パネル３０と照明灯４０とを支持したメインブラケット２０が固定されているため、支柱８０の胴部の片側に蓄電池ユニット１０が固定されたことによって生じる支柱８０に対する水平方向の重量のアンバランスを、支柱８０の胴部を挟んで反対側に固定されたメインブラケット２０によって抑制することができる。そのため、支柱８０上部に蓄電池ユニット１０を含めて街路灯装置を設置した場合でも、街路灯装置の支柱８０に対する水平方向の重量バランスの偏りを抑制することができ、長期間を経ても支柱８０が曲がったり、傾いたりするのを抑制することができる。蓄電池１１、１２を含む蓄電池ユニット１０と太陽電池パネル３０及び照明灯４０を支持したメインブラケット２０との重量は互いに同一であれば良いが、同一でなくても互いに支柱８０の胴部を挟んで反対側に固定されることにより支柱８０に対する水平方向の重量の偏りを打ち消し合うことができる。
また、第１実施形態によれば、メインブラケット２０を全体として三角形状とし、この三角形状の各辺２０Ｂ、２０Ｃに太陽電池パネル３０と照明灯４０とを支持したため、一つのメインブラケット２０により効果的に太陽電池パネル３０と照明灯４０とを支持することができる。
更に、第１実施形態によれば、支柱８０に対する街路灯装置の固定を取付バンド６１、７１によって行ったため、既設の電柱などに容易に設置することができる。
【００１５】
＜第２実施形態＞
図９は本発明の第２実施形態である街路灯装置を示す。この第２実施形態が上述の第１実施形態に対して特徴とする点は、第１実施形態におけるメインブラケット２０に代えて図９に示すメインブラケット２５を用いた点である。その他の構成、作用は第１実施形態と同一であり、図９において第１実施形態と同一部分には図１と同一符号を付して再度の説明は省略する。
図９において、メインブラケット２５は三角形の各辺２５Ａ、２５Ｂ、２５Ｃに囲まれた内部に空間２６を有する。
係る第２実施形態によれば、メインブラケット２５は内部に空間２６を有するので、メインブラケット２５が支柱８０上で風を受けても、その風を空間２６で逃がすことができ、メインブラケット２５が受ける風圧を抑制することができる。そのため、支柱８０に対するメインブラケット２５の固定強度を抑制することができ、支柱８０上に固定される街路灯装置の重量を抑制することができる。
【００１６】
以上、特定の実施形態について説明したが、本発明は、それらの外観、構成に限定されず、本発明の要旨を変更しない範囲で種々の変更、追加、削除が可能である。例えば、
１．照明灯の灯具としてはＬＥＤ以外に蛍光灯、水銀灯等を採用しても良い。
２．本発明の街路灯装置を設置する支柱は、地上以外にビルの屋上に設置されても良い。
３．メインブラケット２０に対する太陽電池パネル３０及び照明灯４０の支持構造は、第１実施形態にて説明したもの以外にも各種の構造が採用できる。また、支柱８０に対するメインブラケット２０及び蓄電池ユニット１０の固定構造も、第１実施形態にて説明したもの以外に各種の構造が採用できる。
【符号の説明】
【００１７】
１０    蓄電池ユニット
１１、１２  蓄電池
１３    充放電コントローラ
１３Ａ  配線
１４    収納ケース
１４Ａ  ケース本体
１４Ａ１、１４Ａ２  取付孔
１４Ａ３  貫通孔
１４Ｂ  蓋体
１４Ｂ１  ねじ孔
１５、１６  棚板
２０、２５  メインブラケット（架台、ブラケット）
２０Ａ、２５Ａ  三角形状の垂直側の一辺
２０Ｂ、２５Ｂ  三角形状の上空側の一辺
２０Ｃ、２５Ｃ  三角形状の地上側の一辺
２１、２２  固定部
２１Ａ、２２Ａ  取付孔
２６    空間
３０    太陽電池パネル
３１、３２  取付部
４０    照明灯
４１    照明灯取付ブラケット
４１Ａ、４１Ｂ  固定部
５１、５２  配線
５３    コネクタ
６１    取付バンド
６２、６３  取付具
６４    ボルト
７１    取付バンド
７２、７３  取付具
７４    ボルト
【図１】
2014022049.tif 000003
【図２】
2014022049.tif 000004
【図３】
2014022049.tif 000005
【図４】
2014022049.tif 000006
【図５】
2014022049.tif 000007
【図６】
2014022049.tif 000008
【図７】
2014022049.tif 000009
【図８】
2014022049.tif 000010
【図９】
2014022049.tif 000011